(57)【特許請求の範囲】
【請求項１】
デバイスにより、第１の値をランダムに決定することと、
前記デバイスにより、前記第１の値により第１の信号送信時点を決定することと、
前記デバイスにより、クリアチャネルアセスメントＣＣＡ終了時点が第１の前記信号送
信時点であるかどうかを決定することと、
前記ＣＣＡ終了時点が前記第１の信号送信時点である場合、前記デバイスによる、前記
第１の信号送信時点において信号を送信することと
を備え、
前記デバイスによる、前記第１の値により第１の信号送信時点を前記決定することは、
前記デバイスによる、式Ｘ1＝ｍｏｄ（Ｘ，Ｎ）によりＸ1を計算することと、
前記デバイスによる、０，１，．．．，Ｎ−１をＭのグループに分割することであって
、各グループは、信号送信時点に対応することと、
前記デバイスによる、Ｘ1が位置付けられるグループの信号送信時点を前記第１の信号
送信時点として選択することと
を備え、
ｍｏｄ（）は、モジュロ関数であり、Ｘ1は、前記第１の値であり、Ｎは７であり、かつ、２つの連続する直交周波数分割多重ＯＦＤＭシンボルにおいて実行されるＣＣＡの数であリ、ＸおよびＭは、正の整数であり、かつＮ≧Ｍであることを特徴とする信号送信方法。
【請求項２】
前記デバイスによる、０，１，．．．，Ｎ−１をＭのグループに分割することは、
前記デバイスによる、０，１，２，３，４，５，６を２つのグループに分割することを含み、
第１のグループは、｛０，１，２｝を備え、前記第１のグループに対応する信号送信時点は、Ｙ＝７×ｆｌｏｏｒ（Ｘ／Ｎ）＋２であり、かつ
第２のグループは、｛３，４，５，６｝を備え、前記第２のグループに対応する信号送信時点は、Ｙ＝７×ｆｌｏｏｒ（Ｘ／Ｎ）＋６であり、
ｆｌｏｏｒ（）は、床関数であることを特徴とする請求項１に記載の方法。
【請求項３】
前記デバイスによる、０，１，．．．，Ｎ−１をＭのグループに分割することは、
前記デバイスによる、０，１，２，３，４，５，６を３つのグループに分割することを含み、
第１のグループは、｛０｝を備え、前記第１のグループに対応する信号送信時点は、Ｙ＝７×ｆｌｏｏｒ（Ｘ／Ｎ）であり、
第２のグループは、｛１，２，３｝を備え、前記第２のグループに対応する信号送信時点は、Ｙ＝７×ｆｌｏｏｒ（Ｘ／Ｎ）＋３であり、かつ
第３のグループは、｛４，５，６｝を備え、前記第３のグループに対応する信号送信時点は、Ｙ＝７×ｆｌｏｏｒ（Ｘ／Ｎ）＋７であり、
ｆｌｏｏｒ（）は、床関数であることを特徴とする請求項１に記載の方法。
【請求項４】
前記ＣＣＡ終了時点が前記第１の信号送信時点ではない場合、前記デバイスによる、Ｃ
ＣＡを再実行することと、
前記ＣＣＡのアセスメント結果が、チャネルがアイドルであることである場合、前記デ
バイスによる、前記ＣＣＡ終了時点が前記第１の信号送信時点であるかどうかを決定する
ことと、
前記ＣＣＡ終了時点が前記第１の信号送信時点である場合、前記デバイスによる、前記
第１の信号送信時点において前記信号を送信することと
をさらに備えることを特徴とする請求項１乃至３いずれか一項に記載の方法。
【請求項５】
前記ＣＣＡ終了時点が前記第１の信号送信時点ではない場合、前記デバイスによる、Ｃ
ＣＡを再実行することをさらに備え、
前記ＣＣＡのアセスメント結果が、チャネルがアイドルではないことである場合、デバ
イスによる、第１の値を前記決定することは、
前記デバイスによる、前記第１の値を１だけ増加させることを備えることを特徴とする
請求項１乃至３いずれか一項に記載の方法。
【請求項６】
第１の値をランダムに決定すること、および前記第１の値により第１の信号送信時点を決定することを行うように構成されたチャネルアセスメントユニットと、
ＣＣＡ終了時点が、前記チャネルアセスメントユニットによって決定された前記第１の
信号送信時点であるかどうかを決定するように構成された決定ユニットと、
前記決定ユニットによって決定された結果が、前記ＣＣＡ終了時点が前記第１の信号送
信時点である場合、前記第１の信号送信時点において信号を送信するように構成された送
信ユニットと
を備え、
前記チャネルアセスメントユニットは、式Ｘ1＝ｍｏｄ（Ｘ，Ｎ）によりＸ1を計算する
こと、０，１，．．．，Ｎ−１をＭのグループに分割することであって、各グループは、
信号送信時点に対応すること、およびＸ1が位置付けられるグループの信号送信時点を第
１の信号送信時点として選択することを行うようにさらに構成され、
ｍｏｄ（）は、モジュロ関数であり、Ｘ1は、前記第１の値であり、Ｎは７であり、かつ、２つの連続する直交周波数分割多重ＯＦＤＭシンボルにおいて実行されるＣＣＡの数であリ、ＸおよびＭは、正の整数であり、かつＮ≧Ｍであることを特徴とするデバイス。
【請求項７】
前記チャネルアセスメントユニットは、０，１，２，３，４，５，６を２つのグループに分割するように構成され、
第１のグループは、｛０，１，２｝を備え、前記第１のグループに対応する信号送信時点は、Ｙ＝７×ｆｌｏｏｒ（Ｘ／Ｎ）＋２であり、かつ
第２のグループは、｛３，４，５，６｝を備え、前記第２のグループに対応する信号送信時点は、Ｙ＝７×ｆｌｏｏｒ（Ｘ／Ｎ）＋６であり、
ｆｌｏｏｒ（）は、床関数であることを特徴とする請求項６に記載のデバイス。
【請求項８】
前記チャネルアセスメントユニットは、さらに、０，１，２，３，４，５，６を３つのグループに分割するように構成され、
Ｎは、７であり、Ｍは、３であり、
第１のグループは、｛０｝を備え、前記第１のグループに対応する信号送信時点は、Ｙ＝７×ｆｌｏｏｒ（Ｘ／Ｎ）であり、
第２のグループは、｛１，２，３｝を備え、前記第２のグループに対応する信号送信時点は、Ｙ＝７×ｆｌｏｏｒ（Ｘ／Ｎ）＋３であり、かつ
第３のグループは、｛４，５，６｝を備え、前記第３のグループに対応する信号送信時点は、Ｙ＝７×ｆｌｏｏｒ（Ｘ／Ｎ）＋７であり、
ｆｌｏｏｒ（）は、床関数であることを特徴とする請求項６に記載のデバイス。
【請求項９】
前記チャネルアセスメントユニットは、前記ＣＣＡ終了時点が前記第１の信号送信時点
ではない場合、クリアチャネルアセスメントを再実行するようにさらに構成され、
前記決定ユニットは、前記チャネルアセスメントユニットのアセスメント結果が、チャ
ネルがアイドルであることである場合、前記ＣＣＡ終了時点が前記第１の信号送信時点で
あるかどうかを決定するようにさらに構成され、かつ
前記送信ユニットは、前記決定ユニットによって決定された結果が、前記ＣＣＡ終了時
点が前記第１の信号送信時点であることである場合、前記第１の信号送信時点において前
記信号を送信するようにさらに構成されることを特徴とする請求項６乃至８いずれか一項に記載のデバイス。
【請求項１０】
前記チャネルアセスメントユニットは、前記ＣＣＡ終了時点が前記第１の信号送信時点
ではない場合、クリアチャネルアセスメントを再実行すること、および前記ＣＣＡのアセ
スメント結果が、チャネルがアイドルではないことである場合、前記第１の値を１だけ増
加させることを行うようにさらに構成されることを特徴とする請求項６乃至８いずれか一項に記載のデバイス。
【請求項１１】
デバイスであって、プロセッサと、メモリと、送信機とを備え、
前記プロセッサは、第１の値をランダムに決定すること、および前記第１の値により第１の信号送信時点を決定すること、ならびにＣＣＡ終了時点が前記第１の信号送信時点であるかどうかを決定することを行うように構成され、かつ
前記送信機は、前記プロセッサによって決定された結果が、前記ＣＣＡ終了時点が前記
第１の信号送信時点である場合、前記第１の信号送信時点において信号を送信するように
構成され、
前記プロセッサは、式Ｘ1＝ｍｏｄ（Ｘ，Ｎ）によりＸ1を計算すること、０，１，．．．，Ｎ−１をＭのグループに分割することであって、各グループは、信号送信時点に対応すること、およびＸ1が位置付けられるグループの信号送信時点を前記第１の信号送信時点として選択することを行うようにさらに構成され、
ｍｏｄ（）は、モジュロ関数であり、Ｘ1は、前記第１の値であり、Ｎは７であり、かつ、２つの連続する直交周波数分割多重ＯＦＤＭシンボルにおいて実行されるＣＣＡの数であリ、ＸおよびＭは、正の整数であり、かつＮ≧Ｍであることを特徴とするデバイス。
【請求項１２】
前記プロセッサは、さらに、０，１，２，３，４，５，６を２つのグループに分割するように構成され、
第１のグループは、｛０，１，２｝を備え、前記第１のグループに対応する信号送信時点は、Ｙ＝７×ｆｌｏｏｒ（Ｘ／Ｎ）＋２であり、かつ
第２のグループは、｛３，４，５，６｝を備え、前記第２のグループに対応する信号送信時点は、Ｙ＝７×ｆｌｏｏｒ（Ｘ／Ｎ）＋６であり、
ｆｌｏｏｒ（）は、床関数であることを特徴とする請求項１１に記載のデバイス。
【請求項１３】
前記プロセッサは、さらに、０，１，２，３，４，５，６を３つのグループに分割するように構成され、
Ｎは、７であり、Ｍは、３であり、
第１のグループは、｛０｝を備え、前記第１のグループに対応する信号送信時点は、Ｙ＝７×ｆｌｏｏｒ（Ｘ／Ｎ）であり、
第２のグループは、｛１，２，３｝を備え、前記第２のグループに対応する信号送信時点は、Ｙ＝７×ｆｌｏｏｒ（Ｘ／Ｎ）＋３であり、かつ
第３のグループは、｛４，５，６｝を備え、前記第３のグループに対応する信号送信時点は、Ｙ＝７×ｆｌｏｏｒ（Ｘ／Ｎ）＋７であり、
ｆｌｏｏｒ（）は、床関数であることを特徴とする請求項１１に記載のデバイス。
【請求項１４】
前記プロセッサは、前記ＣＣＡ終了時点が前記第１の信号送信時点ではない場合、クリ
アチャネルアセスメントを再実行すること、および前記ＣＣＡのアセスメント結果が、チ
ャネルがアイドルであることである場合、前記ＣＣＡ終了時点が前記第１の信号送信時点
であるかどうかを決定することを行うようにさらに構成され、かつ
前記送信機は、前記プロセッサによって決定された結果が、前記ＣＣＡ終了時点が前記
第１の信号送信時点であることである場合、前記第１の信号送信時点において前記信号を
送信するようにさらに構成されることを特徴とする請求項１０乃至１３いずれか一項に記載のデバイス。
【請求項１５】
前記プロセッサは、前記ＣＣＡ終了時点が前記第１の信号送信時点ではない場合、クリ
アチャネルアセスメントを再実行すること、および前記ＣＣＡのアセスメント結果が、チ
ャネルがアイドルではないことである場合、前記第１の値を１だけ増加させることを行う
ようにさらに構成されることを特徴とする請求項１０乃至１３いずれか一項に記載のデバイス。
【請求項１６】
プログラムが記録されたコンピュータ可読ストレージメディアにおいて、
前記プログラムがコンピュータに請求項１乃至５のいずれかの方法を実行させること
を特徴とするコンピュータ可読ストレージメディア。
【請求項１７】
コンピュータに請求項１乃至５のいずれかの方法を実行させることを特徴とするプロ
グラム。
【発明の詳細な説明】
【技術分野】
【０００１】
本発明は、通信分野に関し、詳細には、信号送信方法およびデバイスに関する。
【背景技術】
【０００２】
ワイヤレスネットワークシステムにおいて、信号を送信するのにアンライセンス搬送波チャネルを占有する前に、ネットワークにおける伝送ノードが、チャネルをリッスンし、チャネルがアイドルであることを検出した後、伝送ノードは、信号を送信するチャネルを占有する。例えば、ＬＡＡ−ＬＴＥ（Ｌｉｃｅｎｓｅｄ−Ａｓｓｉｓｔｅｄ  Ａｃｃｅｓｓ  Ｕｓｉｎｇ  ＬＴＥ、ＬＴＥを使用するライセンストアシステッドアクセス）システムにおいて、ＬＢＴ（Ｌｉｓｔｅｎ  Ｂｅｆｏｒｅ  Ｔａｌｋ、リッスンビフォアトーク）様態でチャネルリソースを使用する場合、デバイスはまず、チャネルをリッスンする必要がある。チャネルがアイドルであるかどうかを決定するプロセスは、ＣＣＡ（Ｃｌｅａｒ  Ｃｈａｎｎｅｌ  Ａｓｓｅｓｓｍｅｎｔ、クリアチャネルアセスメント）として参照され、チャネルアセスメントの最小時間単位は、ＣＣＡサイクルとして参照される。
【０００３】
ＬＡＡ−ＬＴＥシステムにおいて、データを送信する前に、デバイスは、ＣＣＡを繰り返し使用することによってリッスンすることを手段にして、チャネルがアイドルであることを検出して、デバイスがデータを送信することを開始できるようにする必要がある。複数のデバイスが、リッスンすることを手段にして、チャネルがアイドルであることを同時に検出し、かつデータを同時に送信する場合、チャネル占有衝突がもたらされる。
【発明の概要】
【０００４】
本発明の実施形態は、複数のデバイスが、リッスンすることを手段にして、チャネルがアイドルであることを同時に検出し、かつデータを同時に送信する場合、チャネル占有衝突がもたらされるという従来技術の問題を解決するようにする信号送信方法およびデバイスを提供する。
【０００５】
前述の問題を解決するのに、以下の技術的解決策が、本発明において使用される。
【０００６】
第１の態様によれば、
デバイスにより、第１の値を決定すること、
デバイスにより、第１の値により第１の信号送信時点を決定すること、
デバイスにより、クリアチャネルアセスメントＣＣＡ終了時点が第１の信号送信時点であるかどうかを決定すること、および
クリアチャネルアセスメントＣＣＡ終了時点が第１の信号送信時点である場合、デバイスによる、第１の信号送信時点において信号を送信することを含む信号送信方法が提供される。
【０００７】
第１の態様を参照して、第１の態様の第１の可能な実施様態において、デバイスによる、第１の値により第１の信号送信時点を決定することは、
デバイスによる、式Ｘ1＝ｍｏｄ（Ｘ，Ｎ）によりＸ1を計算すること、
デバイスによる、０，１，．．．，Ｎ−１をＭのグループに分割することであって、各グループは、信号送信時点に対応すること、および
デバイスによる、Ｘ1が位置付けられるグループの信号送信時点を第１の信号送信時点として選択することを含み、
ｍｏｄ（）は、モジュロ関数であり、Ｘ1は、第１の値であり、Ｎは、１より大きい正の整数であり、ＸおよびＭは、正の整数であり、かつＮ≧Ｍである。
【０００８】
第１の態様の第１の可能な実施様態を参照して、第１の態様の第２の可能な実施様態において、
Ｎは、７であり、Ｍは、２であり、
第１のグループは、｛０，１，２｝を含み、第１のグループに対応する信号送信時点は、Ｙ＝７×ｆｌｏｏｒ（Ｘ／Ｎ）＋２であり、かつ
第２のグループは、｛３，４，５，６｝を含み、第２のグループに対応する信号送信時点は、Ｙ＝７×ｆｌｏｏｒ（Ｘ／Ｎ）＋６であり、
ｆｌｏｏｒ（）は、床関数である。
【０００９】
第１の態様の第１の可能な実施様態を参照して、第１の態様の第３の可能な実施様態において、
Ｎは、７であり、Ｍは、３であり、
第１のグループは、｛０｝を含み、第１のグループに対応する信号送信時点は、Ｙ＝７×ｆｌｏｏｒ（Ｘ／Ｎ）であり、
第２のグループは、｛１，２，３｝を含み、第２のグループに対応する信号送信時点は、Ｙ＝７×ｆｌｏｏｒ（Ｘ／Ｎ）＋３であり、かつ
第３のグループは、｛４，５，６｝を含み、第３のグループに対応する信号送信時点は、Ｙ＝７×ｆｌｏｏｒ（Ｘ／Ｎ）＋７であり、
ｆｌｏｏｒ（）は、床関数である。
【００１０】
第１の態様、または第１の態様の第１乃至第３の可能な実施様態のいずれか１つを参照して、第１の態様の第４の可能な実施様態において、方法は、
クリアチャネルアセスメントＣＣＡ終了時点が第１の信号送信時点ではない場合、デバイスによる、クリアチャネルアセスメントＣＣＡを再実行すること、
クリアチャネルアセスメントＣＣＡのアセスメント結果が、チャネルがアイドルであることである場合、デバイスによる、クリアチャネルアセスメントＣＣＡ終了時点が第１の信号送信時点であるかどうかを決定すること、および
クリアチャネルアセスメントＣＣＡ終了時点が第１の信号送信時点である場合、デバイスによる、第１の信号送信時点において信号を送信することをさらに含む。
【００１１】
第１の態様、または第１の態様の第１乃至第３の可能な実施様態のいずれか１つを参照して、第１の態様の第５の可能な実施様態において、方法は、
クリアチャネルアセスメントＣＣＡ終了時点が第１の信号送信時点ではない場合、デバイスによる、クリアチャネルアセスメントＣＣＡを再実行することをさらに含み、
クリアチャネルアセスメントＣＣＡのアセスメント結果が、チャネルがアイドルではないことである場合、デバイスによる、第１の値を決定することは、
デバイスによる、第１の値を１だけ増加させることを含む。
【００１２】
第２の態様によれば、
デバイスによる、２つの連続する直交周波数分割多重化ＯＦＤＭシンボルにおいて７つのクリアチャネルアセスメントＣＣＡを実行か、または１つの直交周波数分割多重化ＯＦＤＭシンボルにおいて４つのクリアチャネルアセスメントＣＣＡを実行すること、および
クリアチャネルアセスメントＣＣＡのアセスメント結果が信号送信条件を満たす場合、デバイスによる、信号を送信することを含む信号送信方法が提供される。
【００１３】
第２の態様を参照して、第２の態様の第１の可能な実施様態において、
２つのＯＦＤＭシンボルのうちの１つが２２０８サンプリング時間ポイントＴｓを含み、かつ他方のＯＦＤＭシンボルが、２１９２サンプリング時間ポイントＴｓを含む場合、７つのクリアチャネルアセスメントＣＣＡにおける１つのクリアチャネルアセスメントＣＣＡの時間長は、６５６サンプリング時間ポイントＴｓであり、かつ残っている６つのクリアチャネルアセスメントＣＣＡの各々の時間長は、６２４サンプリング時間ポイントＴｓである。
【００１４】
第２の態様を参照して、第２の態様の第２の可能な実施様態において、
２つのＯＦＤＭシンボルの各々が、２１９２サンプリング時間ポイントＴｓを含む場合、７つのクリアチャネルアセスメントＣＣＡにおける１つのクリアチャネルアセスメントＣＣＡの時間長は、６４０サンプリング時間ポイントＴｓであり、かつ残っている６つのクリアチャネルアセスメントＣＣＡの各々の時間長は、６２４サンプリング時間ポイントＴｓである。
【００１５】
第２の態様を参照して、第２の態様の第３の可能な実施様態において、
ＯＦＤＭシンボルが、２５６０サンプリング時間ポイントＴｓを含む場合、４つのクリアチャネルアセスメントＣＣＡにおける１つのクリアチャネルアセスメントＣＣＡの時間長は、６８８サンプリング時間ポイントＴｓであり、かつ残っている３つのクリアチャネルアセスメントＣＣＡの各々の時間長は、６２４サンプリング時間ポイントＴｓである。
【００１６】
第２の態様、または第２の態様の第１乃至第３の可能な実施様態のいずれか１つを参照して、第２の態様の第４の可能な実施様態において、
デバイスが信号を送信する時点は、別のデバイスが信号を送信する時点とは異なる。
【００１７】
第２の態様の第４の可能な実施様態を参照して、第２の態様の第５の可能な実施様態において、
デバイスが信号を送信する時点と別のデバイスが信号を送信する時点の間の間隔は、１つのＣＣＡサイクルである。
【００１８】
第３の態様によれば、デバイスは、
第１の値を決定すること、および第１の値により第１の信号送信時点を決定することを行うように構成されたチャネルアセスメントユニットと、
クリアチャネルアセスメントＣＣＡ終了時点が、チャネルアセスメントユニットによって決定された第１の信号送信時点であるかどうかを決定するように構成された決定ユニットと、
決定ユニットによって決定された結果が、クリアチャネルアセスメントＣＣＡ終了時点が第１の信号送信時点である場合、第１の信号送信時点において信号を送信するように構成された送信ユニットとを含む。
【００１９】
第３の態様を参照して、第３の態様の第１の可能な実施様態において、
チャネルアセスメントユニットは、式Ｘ1＝ｍｏｄ（Ｘ，Ｎ）によりＸ1を計算すること、０，１，．．．，Ｎ−１をＭのグループに分割することであって、各グループは、信号送信時点に対応すること、およびＸ1が位置付けられるグループの信号送信時点を第１の信号送信時点として選択することを行うように特に構成され、
ｍｏｄ（）は、モジュロ関数であり、Ｘ1は、第１の値であり、Ｎは、１より大きい正の整数であり、ＸおよびＭは、正の整数であり、かつＮ≧Ｍである。
【００２０】
第３の態様の第１の可能な実施様態を参照して、第３の態様の第２の可能な実施様態において、
Ｎは、７であり、Ｍは、２であり、
第１のグループは、｛０，１，２｝を含み、第１のグループに対応する信号送信時点は、Ｙ＝７×ｆｌｏｏｒ（Ｘ／Ｎ）＋２であり、かつ
第２のグループは、｛３，４，５，６｝を含み、第２のグループに対応する信号送信時点は、Ｙ＝７×ｆｌｏｏｒ（Ｘ／Ｎ）＋６であり、
ｆｌｏｏｒ（）は、床関数である。
【００２１】
第３の態様の第１の可能な実施様態を参照して、第３の態様の第３の可能な実施様態において、
Ｎは、７であり、Ｍは、３であり、
第１のグループは、｛０｝を含み、第１のグループに対応する信号送信時点は、Ｙ＝７×ｆｌｏｏｒ（Ｘ／Ｎ）であり、
第２のグループは、｛１，２，３｝を含み、第２のグループに対応する信号送信時点は、Ｙ＝７×ｆｌｏｏｒ（Ｘ／Ｎ）＋３であり、かつ
第３のグループは、｛４，５，６｝を含み、第３のグループに対応する信号送信時点は、Ｙ＝７×ｆｌｏｏｒ（Ｘ／Ｎ）＋７であり、
ｆｌｏｏｒ（）は、床関数である。
【００２２】
第３の態様、または第３の態様の第１乃至第３の可能な実施様態のいずれか１つを参照して、第３の態様の第４の可能な実施様態において、
チャネルアセスメントユニットは、クリアチャネルアセスメントＣＣＡ終了時点が第１の信号送信時点ではない場合、クリアチャネルアセスメントを再実行するようにさらに構成され、
決定ユニットは、チャネルアセスメントユニットのアセスメント結果が、チャネルがアイドルであることである場合、クリアチャネルアセスメントＣＣＡ終了時点が第１の信号送信時点であるかどうかを決定するようにさらに構成され、かつ
送信ユニットは、決定ユニットによって決定された結果が、クリアチャネルアセスメントＣＣＡ終了時点が第１の信号送信時点であることである場合、第１の信号送信時点において信号を送信するようにさらに構成される。
【００２３】
第３の態様、または第３の態様の第１乃至第３の可能な実施様態のいずれか１つを参照して、第３の態様の第５の可能な実施様態において、
チャネルアセスメントユニットは、クリアチャネルアセスメントＣＣＡ終了時点が第１の信号送信時点ではない場合、クリアチャネルアセスメントを再実行すること、およびクリアチャネルアセスメントＣＣＡのアセスメント結果が、チャネルがアイドルではないことである場合、第１の値を１だけ増加させることを行うようにさらに構成される。
【００２４】
第４の態様によれば、デバイスは、
２つの連続する直交周波数分割多重化ＯＦＤＭシンボルにおいて７つのクリアチャネルアセスメントＣＣＡを実行すること、または１つの直交周波数分割多重化ＯＦＤＭシンボルにおいて４つのクリアチャネルアセスメントＣＣＡを実行することを行うように構成されたチャネルアセスメントユニットと、
チャネルアセスメントユニットのアセスメント結果が信号送信条件を満たす場合、信号を送信するように構成された送信ユニットとを含む。
【００２５】
第４の態様を参照して、第４の態様の第１の可能な実施様態において、
２つのＯＦＤＭシンボルのうちの１つが２２０８サンプリング時間ポイントＴｓを含み、かつ他方のＯＦＤＭシンボルが、２１９２サンプリング時間ポイントＴｓを含む場合、７つのクリアチャネルアセスメントＣＣＡにおける１つのクリアチャネルアセスメントＣＣＡの時間長は、６５６サンプリング時間ポイントＴｓであり、かつ残っている６つのクリアチャネルアセスメントＣＣＡの各々の時間長は、６２４サンプリング時間ポイントＴｓである。
【００２６】
第４の態様を参照して、第４の態様の第２の可能な実施様態において、
２つのＯＦＤＭシンボルの各々が、２１９２サンプリング時間ポイントＴｓを含む場合、７つのクリアチャネルアセスメントＣＣＡにおける１つのクリアチャネルアセスメントＣＣＡの時間長は、６４０サンプリング時間ポイントＴｓであり、かつ残っている６つのクリアチャネルアセスメントＣＣＡの各々の時間長は、６２４サンプリング時間ポイントＴｓである。
【００２７】
第４の態様を参照して、第４の態様の第３の可能な実施様態において、
ＯＦＤＭシンボルが、２５６０サンプリング時間ポイントＴｓを含む場合、４つのクリアチャネルアセスメントＣＣＡにおける１つのクリアチャネルアセスメントＣＣＡの時間長は、６８８サンプリング時間ポイントＴｓであり、かつ残っている３つのクリアチャネルアセスメントＣＣＡの各々の時間長は、６２４サンプリング時間ポイントＴｓである。
【００２８】
第４の態様、または第４の態様の第１乃至第３の可能な実施様態のいずれか１つを参照して、第４の態様の第４の可能な実施様態において、
デバイスが信号を送信する時点は、別のデバイスが信号を送信する時点とは異なる。
【００２９】
第４の態様の第４の可能な実施様態を参照して、第４の態様の第５の可能な実施様態において、
デバイスが信号を送信する時点と別のデバイスが信号を送信する時点の間の間隔は、１つのＣＣＡサイクルである。
【００３０】
第５の態様によれば、デバイスが、プロセッサと、メモリと、バスと、送信機とを含み、プロセッサ、メモリ、および送信機は、バスを使用することによって互いに接続され、
プロセッサは、第１の値を決定すること、および第１の値により第１の信号送信時点を決定すること、ならびにクリアチャネルアセスメントＣＣＡ終了時点が第１の信号送信時点であるかどうかを決定することを行うように構成され、かつ
送信機は、プロセッサによって決定された結果が、クリアチャネルアセスメントＣＣＡ終了時点が第１の信号送信時点である場合、第１の信号送信時点において信号を送信するように構成される。
【００３１】
第５の態様を参照して、第５の態様の第１の可能な実施様態において、
プロセッサは、式Ｘ1＝ｍｏｄ（Ｘ，Ｎ）によりＸ1を計算すること、０，１，．．．，Ｎ−１をＭのグループに分割することであって、各グループは、信号送信時点に対応すること、およびＸ1が位置付けられるグループの信号送信時点を第１の信号送信時点として選択することを行うように特に構成され、
ｍｏｄ（）は、モジュロ関数であり、Ｘ1は、第１の値であり、Ｎは、１より大きい正の整数であり、ＸおよびＭは、正の整数であり、かつＮ≧Ｍである。
【００３２】
第５の態様の第１の可能な実施様態を参照して、第５の態様の第２の可能な実施様態において、
Ｎは、７であり、Ｍは、２であり、
第１のグループは、｛０，１，２｝を含み、第１のグループに対応する信号送信時点は、Ｙ＝７×ｆｌｏｏｒ（Ｘ／Ｎ）＋２であり、かつ
第２のグループは、｛３，４，５，６｝を含み、第２のグループに対応する信号送信時点は、Ｙ＝７×ｆｌｏｏｒ（Ｘ／Ｎ）＋６であり、
ｆｌｏｏｒ（）は、床関数である。
【００３３】
第５の態様の第１の可能な実施様態を参照して、第５の態様の第３の可能な実施様態において、
Ｎは、７であり、Ｍは、３であり、
第１のグループは、｛０｝を含み、第１のグループに対応する信号送信時点は、Ｙ＝７×ｆｌｏｏｒ（Ｘ／Ｎ）であり、
第２のグループは、｛１，２，３｝を含み、第２のグループに対応する信号送信時点は、Ｙ＝７×ｆｌｏｏｒ（Ｘ／Ｎ）＋３であり、かつ
第３のグループは、｛４，５，６｝を含み、第３のグループに対応する信号送信時点は、Ｙ＝７×ｆｌｏｏｒ（Ｘ／Ｎ）＋７であり、
ｆｌｏｏｒ（）は、床関数である。
【００３４】
第５の態様、または第５の態様の第１乃至第３の可能な実施様態のいずれか１つを参照して、第５の態様の第４の可能な実施様態において、
プロセッサは、クリアチャネルアセスメントＣＣＡ終了時点が第１の信号送信時点ではない場合、クリアチャネルアセスメントを再実行すること、およびクリアチャネルアセスメントＣＣＡのアセスメント結果が、チャネルがアイドルであることである場合、クリアチャネルアセスメントＣＣＡ終了時点が第１の信号送信時点であるかどうかを決定することを行うようにさらに構成され、かつ
送信機は、プロセッサによって決定された結果が、クリアチャネルアセスメントＣＣＡ終了時点が第１の信号送信時点であることである場合、第１の信号送信時点において信号を送信するようにさらに構成される。
【００３５】
第５の態様、または第５の態様の第１乃至第３の可能な実施様態のいずれか１つを参照して、第５の態様の第５の可能な実施様態において、
プロセッサは、クリアチャネルアセスメントＣＣＡ終了時点が第１の信号送信時点ではない場合、クリアチャネルアセスメントを再実行すること、およびクリアチャネルアセスメントＣＣＡのアセスメント結果が、チャネルがアイドルではないことである場合、第１の値を１だけ増加させることを行うようにさらに構成される。
【００３６】
第６の態様によれば、デバイスは、プロセッサと、メモリと、バスと、送信機とを含み、プロセッサ、メモリ、および送信機は、バスを使用することによって互いに接続され、
プロセッサは、２つの連続する直交周波数分割多重化ＯＦＤＭシンボルにおいて７つのクリアチャネルアセスメントＣＣＡを実行するか、または１つの直交周波数分割多重化ＯＦＤＭシンボルにおいて４つのクリアチャネルアセスメントＣＣＡを実行するように構成され、かつ
送信機は、プロセッサのアセスメント結果が信号送信条件を満たす場合、信号を送信するように構成される。
【００３７】
第６の態様を参照して、第６の態様の第１の可能な実施様態において、
２つのＯＦＤＭシンボルのうちの１つが２２０８サンプリング時間ポイントＴｓを含み、かつ他方のＯＦＤＭシンボルが、２１９２サンプリング時間ポイントＴｓを含む場合、７つのクリアチャネルアセスメントＣＣＡにおける１つのクリアチャネルアセスメントＣＣＡの時間長は、６５６サンプリング時間ポイントＴｓであり、かつ残っている６つのクリアチャネルアセスメントＣＣＡの各々の時間長は、６２４サンプリング時間ポイントＴｓである。
【００３８】
第６の態様を参照して、第６の態様の第２の可能な実施様態において、
２つのＯＦＤＭシンボルの各々が、２１９２サンプリング時間ポイントＴｓを含む場合、７つのクリアチャネルアセスメントＣＣＡにおける１つのクリアチャネルアセスメントＣＣＡの時間長は、６４０サンプリング時間ポイントＴｓであり、かつ残っている６つのクリアチャネルアセスメントＣＣＡの各々の時間長は、６２４サンプリング時間ポイントＴｓである。
【００３９】
第６の態様を参照して、第６の態様の第３の可能な実施様態において、
ＯＦＤＭシンボルが、２５６０サンプリング時間ポイントＴｓを含む場合、４つのクリアチャネルアセスメントＣＣＡにおける１つのクリアチャネルアセスメントＣＣＡの時間長は、６８８サンプリング時間ポイントＴｓであり、かつ残っている３つのクリアチャネルアセスメントＣＣＡの各々の時間長は、６２４サンプリング時間ポイントＴｓである。
【００４０】
第６の態様、または第６の態様の第１乃至第３の可能な実施様態のいずれか１つを参照して、第６の態様の第４の可能な実施様態において、
デバイスが信号を送信する時点は、別のデバイスが信号を送信する時点とは異なる。
【００４１】
第６の態様の第４の可能な実施様態を参照して、第６の態様の第５の可能な実施様態において、
デバイスが信号を送信する時点と別のデバイスが信号を送信する時点の間の間隔は、１つのＣＣＡサイクルである。
【００４２】
本発明の実施形態において提供される信号送信方法およびデバイスによれば、デバイスは、第１の値を決定し、デバイスは、第１の値により第１の信号送信時点を決定し、デバイスは、ＣＣＡ終了時点が第１の信号送信時点であるかどうかを決定し、ＣＣＡ終了時点が第１の信号送信時点である場合、デバイスは、第１の信号送信時点において信号を送信する。ＣＣＡ終了時点が第１の信号送信時点であるかどうかは、信号が送信される前に決定されるため、複数のデバイスが、リッスンすることを手段にして、チャネルがアイドルであることを同時に検出し、かつデータを同時に送信する場合、チャネル占有衝突がもたらされるという従来技術の問題が解決される。
【図面の簡単な説明】
【００４３】
本発明の実施形態における、または従来技術における技術的ソリューションをより明確に説明するのに、以下が、実施形態を説明するのに要求される添付の図面を簡単に説明する。明らかに、以下の説明における添付の図面は、本発明のいくつかの実施形態を示すに過ぎず、当業者は、それでも、独創的な取組みなしに、これらの添付の図面から他の図面を導き出し得る。
【図１】本発明の実施形態による信号送信方法を示す概略流れ図である。
【図２】本発明の実施形態による第１の信号送信時点を示す概略図である。
【図３】本発明の別の実施形態による信号送信方法を示す概略流れ図である。
【図４】従来技術におけるＣＣＡサイクルおよびＯＦＤＭシンボルを示す概略構造図である。
【図５】本発明の実施形態による別の信号送信方法を示す図である。
【図６】本発明の実施形態によるＣＣＡを示す概略構造図である。
【図７】本発明の実施形態による信号送信時点を示す概略図である。
【図８】本発明の実施形態によるデバイスを示す概略構造図である。
【図９】本発明の実施形態による別のデバイスを示す概略構造図である。
【図１０】本発明の別の実施形態によるデバイスを示す概略構造図である。
【図１１】本発明の別の実施形態による別のデバイスを示す概略構造図である。
【発明を実施するための形態】
【００４４】
以下が、本発明の実施形態における添付の図面を参照して、本発明の実施形態における技術的ソリューションを明確に、かつ完全に説明する。明らかに、説明される実施形態は、本発明の実施形態のすべてではなく、いくつかに過ぎない。独創的な取組みなしに、本発明の実施形態に基づいて当業者によって獲得される他のすべての実施形態は、本発明の保護範囲に入るものとする。
【００４５】
本発明の実施形態の技術的ソリューションは、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、およびワールドワイドインターオペラビリティフォーマイクロウェイブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システムなどの様々な通信システムに適用され得ることを理解されたい。
【００４６】
本発明の実施形態において、ユーザ機器（英語フルネーム  Ｕｓｅｒ  Ｅｑｕｉｐｍｅｎｔ、略して、ＵＥ）は、モバイル局（英語フルネーム  Ｍｏｂｉｌｅ  Ｓｔａｔｉｏｎ、略して、ＭＳ）、モバイル端末（Ｍｏｂｉｌｅ  Ｔｅｒｍｉｎａｌ）、モバイル電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）、および類似したものを含むが、以上には限定されないことを理解されたい。ユーザ機器は、無線アクセスネットワーク（英語フルネーム  Ｒａｄｉｏ  Ａｃｃｅｓｓ  Ｎｅｔｗｏｒｋ、略して、ＲＡＮ）を使用することによって１または複数のコアネットワークと通信し得る。例えば、ユーザ機器は、モバイル電話（もしくは、「セルラ」電話として参照される）、またはワイヤレス通信機能を有するコンピュータであってよく、またはユーザ機器は、さらに、ポータブルモバイル装置、ポケットサイズモバイル装置、ハンドヘルドモバイル装置、コンピュータ組込み型モバイル装置、または車両内モバイル装置であってよい。
【００４７】
本発明の実施形態において、デバイスが、ＧＳＭもしくはＣＤＭＡにおける基地局（英語フルネーム  Ｂａｓｅ  Ｔｒａｎｓｃｅｉｖｅｒ  Ｓｔａｔｉｏｎ、略して、ＢＴＳ）であることがあり、またはＷＣＤＭＡにおけるノードＢ（ＮｏｄｅＢ）であることがあり、またはＬＴＥにおける発展型ノードＢ（英語フルネーム  ｅｖｏｌｖｅｄ  Ｎｏｄｅ  Ｂ、略してｅ−ＮｏｄｅＢ）であることがある。このことは、本発明の実施形態において限定されない。
【００４８】
本発明の実施形態において、「第１の」および「第２の」は、本発明の実施形態において限定を課すのではなく、区別のために使用されるに過ぎないことに留意されたい。
【００４９】
本発明の実施形態が、信号送信方法を提供する。任意選択で、方法は、ＬＡＡ−ＬＴＥシステムにおけるデバイスに適用される。図１を参照すると、方法は、以下のステップを含む。
【００５０】
１０１.  デバイスが、第１の値を決定する。
【００５１】
任意選択で、第１の値が、ランダムに獲得され得る。
【００５２】
１０２.  デバイスが、第１の値により第１の信号送信時点を決定する。
【００５３】
任意選択で、デバイスが、式Ｘ1＝ｍｏｄ（Ｘ，Ｎ）によりＸ1を計算し、デバイスが、０，１，．．．，Ｎ−１をＭのグループに分割することであって、各グループは、信号送信時点に対応することを行い、デバイスが、Ｘ1が位置付けられるグループの信号送信時点を第１の信号送信時点として選択し、
ｍｏｄ（）は、モジュロ関数であり、Ｘ1は、第１の値であり、Ｎは、１より大きい正の整数であり、ＸおよびＭは、正の整数であり、かつＮ≧Ｍである。
【００５４】
１０３.  デバイスが、ＣＣＡ終了時点が第１の信号送信時点であるかどうかを決定する。
【００５５】
任意選択で、第１の信号送信時点と次のＯＦＤＭシンボルの開始時点の間の時間間隔は、１つのＣＣＡサイクルより大きい。ＣＣＡサイクルは、チャネルアセスメントの最小時間単位である。
【００５６】
任意選択で、チャネルがアイドルであると決定した後、デバイスは、ＣＣＡ終了時点が第１の信号送信時点であるかどうかを決定する。さらに、２つのＯＦＤＭシンボルが、７つのＣＣＡサイクルを含み、第１の信号送信時点は、７つのＣＣＡサイクルにおける第３のＣＣＡサイクルの開始時点、または７つのＣＣＡサイクルにおける第７のＣＣＡサイクルの開始時点であり得る。図２を参照すると、信号が、第３のＣＣＡサイクルの開始時点において送信されることを開始し、受信／送信遷移が、第３のＣＣＡサイクルの開始時点と次のＯＦＤＭシンボルの開始時点の間の時間間隔中に、次のＯＦＤＭシンボルの送信に影響を与えることなしに、実行され得る。同一のことが、第７のＣＣＡサイクルの開始時点に関して当てはまる。また、このことは、信号送信時点と次のＯＦＤＭシンボルの開始時点の間の時間間隔が、次のＯＦＤＭシンボルの送信に影響を与えることなしに、受信／送信遷移を完了するために十分であり、その結果、受信／送信遷移中にもたらされるリソースの浪費を回避することも確実にする。
【００５７】
１０４.  ＣＣＡ終了時点が第１の信号送信時点である場合、デバイスが、第１の信号送信時点において信号を送信する。
【００５８】
任意選択で、ＣＣＡ終了時点が第１の信号送信時点ではない場合、デバイスが、ＣＣＡを再実行する。
【００５９】
本発明のこの実施形態において提供される信号送信方法によれば、デバイスが、第１の値を決定し、デバイスが、第１の値により第１の信号送信時点を決定し、デバイスが、ＣＣＡ終了時点が第１の送信時点であるかどうかを決定し、ＣＣＡ終了時点が第１の信号送信時点である場合、デバイスが、第１の信号送信時点において信号を送信する。ＣＣＡ終了時点が第１の信号送信時点であるかどうかは、信号が送信される前に決定されるため、複数のデバイスが、リッスンすることを手段にして、チャネルがアイドルであることを同時に検出し、かつデータを同時に送信する場合、チャネル占有衝突がもたらされるという従来技術の問題が解決される。
【００６０】
図１に対応する前述の実施形態に基づいて、本発明の別の実施形態が、信号送信方法を提供する。任意選択で、方法は、ＬＡＡ−ＬＴＥシステムに適用される。２つのＯＦＤＭシンボルが７つのＣＣＡサイクルを含むことが、この実施形態における説明のための例として使用される。この実施形態において、２つのＯＦＤＭシンボルに含まれる７つのＣＣＡサイクルの終了時点は、それぞれ、７つの数字、すなわち、０、１、２、３、４、５、および６によって表され、すべての時間ポイントが、７つの時点を使用することによって説明される。任意選択で、ＣＣＡサイクルは、２０マイクロ秒である。図３を参照すると、方法は、以下のステップを含む。
【００６１】
３０１.  デバイスが、第１の値を決定する。
【００６２】
任意選択で、第１の値がランダムに獲得され得る。
【００６３】
３０２.  デバイスが、第１の値により第１の信号送信時点を決定する。
【００６４】
任意選択で、デバイスが、式Ｘ1＝ｍｏｄ（Ｘ，Ｎ）によりＸ1を計算し、デバイスが、０，１，．．．，Ｎ−１をＭのグループに分割することであって、各グループは、信号送信時点に対応することを行い、デバイスが、Ｘ1が位置付けられるグループの信号送信時点を第１の信号送信時点として選択し、
ｍｏｄ（）は、モジュロ関数であり、Ｘ1は、第１の値であり、Ｎは、１より大きい正の整数であり、ＸおよびＭは、正の整数であり、かつＮ≧Ｍである。
【００６５】
特に、任意選択で、第１のアプリケーションシナリオにおいて、Ｎは、７であり、Ｍは、２であり、
第１のグループは、｛０，１，２｝を含み、第１のグループに対応する信号送信時点は、Ｙ＝７×ｆｌｏｏｒ（Ｘ／Ｎ）＋２であり、かつ第２のグループは、｛３，４，５，６｝を含み、第２のグループに対応する信号送信時点は、Ｙ＝７×ｆｌｏｏｒ（Ｘ／Ｎ）＋６であり、ｆｌｏｏｒ（）は、床関数である。
【００６６】
この事例において、デバイスは、第１の式Ｘ1＝ｍｏｄ（Ｘ，７）により第１の値Ｘ1を計算し、Ｘ1は、第１の値Ｘを７によって割ることによって獲得される余りであり、デバイスは、第２の式Ｘ2＝ｆｌｏｏｒ（Ｘ／７）により第２の値Ｘ2をさらに計算し、Ｘ2は、第１の値Ｘを７で割ることによって獲得される商である。
【００６７】
第１の値が、｛０，１，２｝に属する場合、デバイスは、第３の式Ｙ＝７×Ｘ2＋２により、計算を実行して、第１の信号送信時点Ｙを獲得する、または
第１の値が、｛３，４，５，６｝に属する場合、デバイスは、第４の式Ｙ＝７×Ｘ2＋６により、計算を実行して、第１の信号送信時点Ｙを獲得する。
【００６８】
さらに、任意選択で、第１の信号送信時点を計算する前述のプロセスは、以下のコードを使用することによって実施され得る。
Ｘ1＝ｍｏｄ（Ｘ，７）、かつＸ2＝ｆｌｏｏｒ（Ｘ／７）、かつ
Ｘ1が｛０，１，２｝に属する場合、Ｙ＝７*Ｘ2＋２、または
Ｘ1が｛３，４，５，６｝に属する場合、Ｙ＝７*Ｘ2＋６
【００６９】
任意選択で、第２のアプリケーションシナリオにおいて、Ｎは、７であり、Ｍは、３であり、第１のグループは、｛０｝を含み、第１のグループに対応する信号送信時点は、Ｙ＝７×ｆｌｏｏｒ（Ｘ／Ｎ）であり、第２のグループは、｛１，２，３｝を含み、第２のグループに対応する信号送信時点は、Ｙ＝７×ｆｌｏｏｒ（Ｘ／Ｎ）＋３であり、かつ第３のグループは、｛４，５，６｝を含み、第３のグループに対応する信号送信時点は、Ｙ＝７×ｆｌｏｏｒ（Ｘ／Ｎ）＋７であり、ｆｌｏｏｒ（）は、床関数である。
【００７０】
この事例において、デバイスは、第１の式Ｘ1＝ｍｏｄ（Ｘ，７）により第１の値Ｘ1を計算してよく、かつデバイスは、第２の式Ｘ2＝ｆｌｏｏｒ（Ｘ／７）により第２の値Ｘ2をさらに計算してよい。
【００７１】
第１の値が｛０｝に属する場合、デバイスは、第５の式Ｙ＝７×Ｘ2により第１の信号送信時点Ｙを決定し、または
第１の値が｛１，２，３｝に属する場合、デバイスは、第６の式Ｙ＝７×Ｘ2＋３により第１の信号送信時点Ｙを決定し、または
第１の値が｛４，５，６｝に属する場合、デバイスは、第７の式Ｙ＝７×Ｘ2＋７により第１の信号送信時点Ｙを決定する。
【００７２】
さらに、任意選択で、第１の信号送信時点を計算する前述のプロセスは、以下のコードを使用することによって実施され得る。
Ｘ1＝ｍｏｄ（Ｘ，７）、かつＸ2＝ｆｌｏｏｒ（Ｘ／７）、かつ
Ｘ1が｛０｝に属する場合、Ｙ＝７*Ｘ2、または
Ｘ1が｛１，２，３｝に属する場合、Ｙ＝７*Ｘ2＋３または
Ｘ1が｛４，５，６｝に属する場合、Ｙ＝７*Ｘ2＋７
【００７３】
無論、２つだけの特定のアプリケーションシナリオが本明細書においてリストアップされ、それは、本発明がそれらに限定されることを示さない。
【００７４】
任意選択で、この実施形態において提供される信号送信方法は、ステップ３０３をさらに含む。
【００７５】
３０３.  デバイスは、ＣＣＡを実行する。
【００７６】
任意選択で、ＣＣＡのアセスメント結果が、チャネルがアイドルであることである場合、ステップ３０４が実行される。
【００７７】
ＣＣＡのアセスメント結果が、チャネルがアイドルではないことである場合、デバイスが、第１の値を１だけ増加させ、ステップ３０２を再び実行する。
【００７８】
任意選択で、ＣＣＡのアセスメント結果が、チャネルがアイドルであることである場合、この実施形態において提供される信号送信方法は、以下をさらに含む。
【００７９】
３０４.  デバイスが、ＣＣＡ終了時点が第１の信号送信時点であるかどうかを決定する。
【００８０】
任意選択で、ステップ３０３の後、ＣＣＡ終了時点が第１の信号送信時点ではない場合、デバイスが、ＣＣＡを再実行する、すなわち、ステップ３０３が再び実行される。
【００８１】
ＣＣＡ終了時点が第１の信号送信時点である場合、ステップ３０５が実行される。
【００８２】
３０５.  デバイスが、第１の信号送信時点において信号を送信する。
【００８３】
任意選択で、前述のステップ３０２乃至３０５に基づいて、アプリケーションシナリオにおいて、ＣＣＡ終了時点が第１の信号送信時点ではない場合、デバイスが、ＣＣＡを再実行し、ＣＣＡのアセスメント結果が、チャネルがアイドルであることである場合、デバイスが、ＣＣＡ終了時点が第１の信号送信時点であるかどうかを決定し、ＣＣＡ終了時点が第１の信号送信時点である場合、デバイスが、第１の信号送信時点において信号を送信する。
【００８４】
別のアプリケーションシナリオにおいて、ＣＣＡ終了時点が第１の信号送信時点ではない場合、デバイスが、ＣＣＡを再実行し、ＣＣＡのアセスメント結果が、チャネルがアイドルではないことである場合、デバイスが、第１の値を１だけ増加させる。
【００８５】
本発明のこの実施形態において提供される信号送信方法によれば、デバイスが、第１の値を決定し、デバイスが、第１の値により第１の信号送信時点を決定し、ＣＣＡのアセスメント結果が、チャネルがアイドルであることである場合、デバイスが、ＣＣＡ終了時点が第１の信号送信時点であるかどうかを決定し、ＣＣＡ終了時点が第１の信号送信時点である場合、デバイスが、第１の信号送信時点において信号を送信することを開始する。ＣＣＡ終了時点が第１の信号送信時点であるかどうかは、信号が送信される前に決定されるため、複数のデバイスが、リッスンすることを手段にして、チャネルがアイドルであることを同時に検出し、かつデータを同時に送信する場合、チャネル占有衝突がもたらされるという従来技術の問題が解決される。
【００８６】
本発明の実施形態が、図１または図３に対応する前述の実施形態において説明される信号送信方法に適用され得る別の信号送信方法を提供する。従来技術において、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）シンボルにおいて占有される時間リソースは、ＣＣＡサイクルの整数量ではないため、ＣＣＡ終了時点は、ＯＦＤＭシンボルの開始時点とは異なる、またはＣＣＡ終了時点は、ＯＦＤＭシンボルの終了時点とは異なる、またはＣＣＡ開始時点とＣＣＡ終了時点の両方が、ＯＦＤＭシンボルのものである開始時点および終了時点とは異なる。図４に示されるとおり、デバイスが、ＣＣＡサイクルのものであり、かつ受信されるデータと送信されるデータの間にある遷移プロセスを有する。ＯＦＤＭシンボルの開始時点とＣＣＡ終了時点の間の時間間隔がＣＣＡサイクル未満である場合、ＯＦＤＭシンボルは、受信／送信遷移を実行するように占有される。その結果、ＯＦＤＭシンボル全体のリソースが浪費される。図５を参照すると、この実施形態において提供される信号送信方法が、前述の問題を解決するのに使用され、以下のステップを含む。
【００８７】
５０１  デバイスが、２つの連続するＯＦＤＭシンボルにおいて７つのＣＣＡを実行する、または１つのＯＦＤＭシンボルにおいて４つのＣＣＡを実行する。
【００８８】
２つのＯＦＤＭシンボルが、７つのＣＣＡサイクルを含む。
【００８９】
この実施形態において、２つのＯＦＤＭシンボルは、７つのＣＣＡサイクルを含み、かつ従来技術におけるＣＣＡサイクルの長さがリセットされることに留意されたい。図６に示されるとおり、３つの様態が含まれる。無論、３つの様態は、説明のための例として使用されるに過ぎず、それは、本発明がそれらに限定されることを示さない。３つの様態は、Ｔｓ（Ｓａｍｐｌｉｎｇ  Ｔｉｍｅ、サンプリング時間）に基づいて設計される。
【００９０】
第１の様態：  ２つのＯＦＤＭシンボルのうちの１つが２２０８Ｔｓを含み、かつ他方のＯＦＤＭシンボルが、２１９２Ｔｓを含む場合、７つのＣＣＡにおける１つのＣＣＡの時間長は、６５６Ｔｓであり、かつ残っている６つのＣＣＡの各々の時間長は、６２４Ｔｓである。
【００９１】
第２の様態：  ２つのＯＦＤＭシンボルの各々が、２１９２Ｔｓを含む場合、７つのＣＣＡにおける１つのＣＣＡの時間長は、６４０Ｔｓであり、かつ残っている６つのＣＣＡの各々の時間長は、６２４Ｔｓである。
【００９２】
第３の様態：  ＯＦＤＭシンボルが、２５６０Ｔｓを含む場合、４つのＣＣＡにおける１つのＣＣＡの時間長は、６８８Ｔｓであり、かつ残っている３つのＣＣＡの各々の時間長は、６２４Ｔｓである。
【００９３】
このようにして、２つのＯＦＤＭシンボルが、ＣＣＡサイクルの整数量を含んでよく、またはＯＦＤＭシンボルが、ＣＣＡサイクルの整数量を含む。
【００９４】
５０２  ＣＣＡのアセスメント結果が信号送信条件を満たす場合、デバイスが、信号を送信する。
【００９５】
任意選択で、デバイスが信号を送信する時点は、別のデバイスが信号を送信する時点とは異なる。さらに、デバイスが信号を送信する時点と別のデバイスが信号を送信する時点の間の間隔は、１つのＣＣＡサイクルである。例えば、複数のデバイスがチャネルをプリエンプトするシナリオにおいて、すべてのデバイスの第２の時点が、１つのＣＣＡサイクルだけ互いにずらされる。図７に示されるとおり、デバイスＢの実際の送信時点は、デバイスＡの実際の送信時点より１つのＣＣＡサイクル遅く、デバイスＣの実際の送信時点は、デバイスＢの実際の送信時点より１つのＣＣＡサイクル遅い。このようにして、デバイスＡ、デバイスＢ、およびデバイスＣは、常に、３つの異なる時点において信号を送信することを開始して、２つのノードがチャネルを同時にプリエンプトするという問題が生じないようにして、その結果、チャネル衝突をある程度、回避する。
【００９６】
本発明のこの実施形態において提供される信号送信方法によれば、デバイスが、２つの連続するＯＦＤＭシンボルにおいて７つのＣＣＡを実行する、または１つのＯＦＤＭシンボルにおいて４つのＣＣＡを実行する。ＣＣＡのアセスメント結果が信号送信条件を満たす場合、デバイスは、信号を送信する。２つのＯＦＤＭシンボルは、ＣＣＡサイクルの整数量を含み得るため、またはＯＦＤＭシンボルは、ＣＣＡサイクルの整数量を含むため、ＣＣＡ終了時点がＯＦＤＭシンボルの開始時点とは異なるためにリソースが浪費されるという従来技術の問題が解決される。
【００９７】
図１および図３に対応する前述の実施形態に基づいて、本発明の実施形態が、図１および図３に対応する前述の実施形態において説明される信号送信方法を実行するように構成されたデバイスを提供する。図８を参照すると、デバイス８０は、チャネルアセスメントユニット８０１と、決定ユニット８０２と、送信ユニット８０３とを含む。
【００９８】
チャネルアセスメントユニット８０１は、第１の値を決定すること、および第１の値により第１の信号送信時点を決定することを行うように構成される。
【００９９】
決定ユニット８０２は、クリアチャネルアセスメントＣＣＡ終了時点が、チャネルアセスメントユニット８０１によって決定された第１の信号送信時点であるかどうかを決定するように構成される。
【０１００】
送信ユニット８０３は、決定ユニット８０２によって決定された結果が、クリアチャネルアセスメントＣＣＡ終了時点が第１の信号送信時点であることである場合、第１の信号送信時点において信号を送信するように構成される。
【０１０１】
任意選択で、チャネルアセスメントユニット８０１は、式Ｘ1＝ｍｏｄ（Ｘ，Ｎ）によりＸ1を計算すること、０，１，．．．，Ｎ−１をＭのグループに分割することであって、各グループは、信号送信時点に対応すること、およびＸ1が位置付けられるグループの信号送信時点を第１の信号送信時点として選択することを行うように特に構成され、
ｍｏｄ（）は、モジュロ関数であり、Ｘ1は、第１の値であり、Ｎは、１より大きい正の整数であり、ＸおよびＭは、正の整数であり、かつＮ≧Ｍである。
【０１０２】
さらに、任意選択で、アプリケーションシナリオにおいて、
Ｎは、７であり、Ｍは、２である。第１のグループは、｛０，１，２｝を含み、第１のグループに対応する信号送信時点は、Ｙ＝７×ｆｌｏｏｒ（Ｘ／Ｎ）＋２である。第２のグループは、｛３，４，５，６｝を含み、第２のグループに対応する信号送信時点は、Ｙ＝７×ｆｌｏｏｒ（Ｘ／Ｎ）＋６であり、ｆｌｏｏｒ（）は、床関数である。
【０１０３】
別のアプリケーションシナリオにおいて、
Ｎは、７であり、Ｍは、３である。第１のグループは、｛０｝を含み、第１のグループに対応する信号送信時点は、Ｙ＝７×ｆｌｏｏｒ（Ｘ／Ｎ）である。第２のグループは、｛１，２，３｝を含み、第２のグループに対応する信号送信時点は、Ｙ＝７×ｆｌｏｏｒ（Ｘ／Ｎ）＋３である。第３のグループは、｛４，５，６｝を含み、第３のグループに対応する信号送信時点は、Ｙ＝７×ｆｌｏｏｒ（Ｘ／Ｎ）＋７であり、ｆｌｏｏｒ（）は、床関数である。
【０１０４】
任意選択で、チャネルアセスメントユニット８０１は、クリアチャネルアセスメントＣＣＡ終了時点が第１の信号送信時点ではない場合、クリアチャネルアセスメントを再実行するようにさらに構成される。
【０１０５】
決定ユニット８０２は、チャネルアセスメントユニット８０１のアセスメント結果が、チャネルがアイドルであることである場合、クリアチャネルアセスメントＣＣＡ終了時点が第１の信号送信時点であるかどうかを決定するようにさらに構成される。
【０１０６】
送信ユニット８０３は、決定ユニット８０２によって決定された結果が、クリアチャネルアセスメントＣＣＡ終了時点が第１の信号送信時点であることである場合、第１の信号送信時点において信号を送信するようにさらに構成される。
【０１０７】
チャネルアセスメントユニット８０１は、クリアチャネルアセスメントＣＣＡ終了時点が第１の信号送信時点ではない場合、クリアチャネルアセスメントを再実行すること、およびクリアチャネルアセスメントＣＣＡのアセスメント結果が、チャネルがアイドルではないことである場合、第１の値を１だけ増加させることを行うようにさらに構成される。
【０１０８】
本発明のこの実施形態において提供されるデバイスは、第１の値を決定し、第１の値により第１の信号送信時点を決定し、ＣＣＡ終了時点が第１の信号送信時点であるかどうかを決定し、ＣＣＡ終了時点が第１の信号送信時点である場合、第１の信号送信時点において信号を送信する。ＣＣＡ終了時点が第１の信号送信時点であるかどうかは、信号が送信される前に決定されるため、複数のデバイスが、リッスンすることを手段にして、チャネルがアイドルであることを同時に検出し、かつデータを同時に送信する場合、チャネル占有衝突がもたらされるという従来技術の問題が解決される。
【０１０９】
図５に対応する前述の実施形態に基づいて、本発明の実施形態が、図５に対応する前述の実施形態において説明される信号送信方法を実行するように構成された別のデバイスを提供する。図９を参照すると、デバイス９０が、チャネルアセスメントユニット９０１と、送信ユニット９０２とを含む。
【０１１０】
チャネルアセスメントユニット９０１は、２つの連続する直交周波数分割多重化ＯＦＤＭシンボルにおいて７つのクリアチャネルアセスメントＣＣＡを実行すること、または１つの直交周波数分割多重化ＯＦＤＭシンボルにおいて４つのクリアチャネルアセスメントＣＣＡを実行することを行うように構成される。
【０１１１】
この実施形態において、２つのＯＦＤＭシンボルは、７つのＣＣＡサイクルを含み、かつ従来技術におけるＣＣＡサイクルの長さがリセットされることに留意されたい。図６に示されるとおり、３つの様態が含まれる。無論、３つの様態は、説明のための例として使用されるに過ぎず、それは、本発明がそれらに限定されることを示さない。３つの様態は、Ｔｓ（Ｓａｍｐｌｉｎｇ  Ｔｉｍｅ、サンプリング時間）に基づいて設計される。
【０１１２】
第１の様態  ２つのＯＦＤＭシンボルのうちの１つが２２０８Ｔｓを含み、かつ他方のＯＦＤＭシンボルが、２１９２Ｔｓを含む場合、７つのＣＣＡにおける１つのＣＣＡの時間長は、６５６Ｔｓであり、かつ残っている６つのＣＣＡの各々の時間長は、６２４Ｔｓである。
【０１１３】
第２の様態  ２つのＯＦＤＭシンボルの各々が、２１９２Ｔｓを含む場合、７つのＣＣＡにおける１つのＣＣＡの時間長は、６４０Ｔｓであり、かつ残っている６つのＣＣＡの各々の時間長は、６２４Ｔｓである。
【０１１４】
第３の様態  ＯＦＤＭシンボルが、２５６０Ｔｓを含む場合、４つのＣＣＡにおける１つのＣＣＡの時間長は、６８８Ｔｓであり、かつ残っている３つのＣＣＡの各々の時間長は、６２４Ｔｓである。
【０１１５】
このようにして、２つのＯＦＤＭシンボルが、ＣＣＡサイクルの整数量を含んでよく、またはＯＦＤＭシンボルが、ＣＣＡサイクルの整数量を含む。
【０１１６】
送信ユニット９０２は、チャネルアセスメントユニット９０１のアセスメント結果が信号送信条件を満たす場合、信号を送信するように構成される。
【０１１７】
任意選択で、デバイスが信号を送信する時点は、別のデバイスが信号を送信する時点とは異なる。さらに、デバイスが信号を送信する時点と別のデバイスが信号を送信する時点の間の間隔は、１つのＣＣＡサイクルである。
【０１１８】
本発明のこの実施形態において提供されるデバイスは、２つの連続するＯＦＤＭシンボルにおいて７つのＣＣＡを実行する、または１つのＯＦＤＭシンボルにおいて４つのＣＣＡを実行する。ＣＣＡのアセスメント結果が信号送信条件を満たす場合、デバイスは、信号を送信する。２つのＯＦＤＭシンボルは、ＣＣＡサイクルの整数量を含み得るため、またはＯＦＤＭシンボルは、ＣＣＡサイクルの整数量を含むため、ＣＣＡ終了時点がＯＦＤＭシンボルの開始時点とは異なるためにリソースが浪費されるという従来技術の問題が解決される。
【０１１９】
図１および図３に対応する前述の実施形態に基づいて、本発明の別の実施形態が、図１および図３に対応する前述の実施形態において説明される信号送信方法を実行するように構成されたデバイスを提供する。図１０を参照すると、デバイス１００が、少なくとも１つのプロセッサ１００１と、メモリ１００２と、バス１００３と、送信機１００４とを含む。少なくとも１つのプロセッサ１００１、メモリ１００２、および送信機１００４は、バス１００３を使用することによって接続され、かつ相互通信を完成させる。
【０１２０】
バス１００３は、ＩＳＡ（Ｉｎｄｕｓｔｒｙ  Ｓｔａｎｄａｒｄ  Ａｒｃｈｉｔｅｃｔｕｒｅ、インダストリスタンダードアーキテクチャ）バス、ＰＣＩ（Ｐｅｒｉｐｈｅｒａｌ  Ｃｏｍｐｏｎｅｎｔ Ｉｎｔｅｒｃｏｎｎｅｃｔ、ペリフェラルコンポーネントインターコネクト）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、エクステンデッドインダストリスタンダードアーキテクチャ）バス、または類似したものであり得る。バス１００３は、アドレスバス、データバス、制御バス、および類似したものに分類され得る。図示の容易のため、１つの太線だけがバスを表すように図１０において使用されるが、それは、１つだけのバスまたは１つだけのタイプのバスが存在することを示さない。
【０１２１】
メモリ１００２は、本発明のソリューションを実行するのに使用されるアプリケーションプログラムコードを記憶するように構成され、本発明のソリューションを実行するのに使用されるアプリケーションプログラムコードは、メモリに記憶され、アプリケーションプログラムコードの実行は、プロセッサ１００１によって制御される。
【０１２２】
メモリは、読取り専用メモリＲＯＭ，静的情報および命令を記憶し得る別のタイプの静的ストレージデバイス、ランダムアクセスメモリＲＡＭ、もしくは情報および命令を記憶し得る別のタイプの動的ストレージデバイスであってよく、または電気的に消去可能なプログラマブル読取り専用メモリＥＥＰＲＯＭ、コンパクトディスク読取り専用メモリＣＤ−ＲＯＭ、別のコンパクトディスクストレージ、光ディスクストレージ（コンパクトディスク、レーザディスク、光ディスク、デジタルバーサタイルディスク、Ｂｌｕ−ｒａｙ（登録商標）ディスク、および類似したものを含む）、ディスクストレージメディア、別の磁気ストレージデバイス、または命令もしくはデータ構造の形態で予期されるプログラムコードを搬送するように、もしくは記憶するように構成されることができ、かつコンピュータによってアクセスされることができる他の任意のメディアであってよいが、これは、本明細書において限定されない。これらのメモリは、バスを使用することによってプロセッサに接続される。
【０１２３】
プロセッサ１００１は、本発明の実施形態を実施するように構成された中央処理ユニット（Ｃｅｎｔｒａｌ  Ｐｒｏｃｅｓｓｉｎｇ  Ｕｎｉｔ、略して、ＣＰＵ）１００１、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略して、ＡＳＩＣ）、または１または複数の集積回路であり得る。
【０１２４】
プロセッサ１００１は、メモリ１００２におけるプログラムコードを呼び出すように構成される。可能な実施様態において、前述のアプリケーションプログラムがプロセッサ１００１によって実行される場合、以下の機能が実施される。
【０１２５】
プロセッサ１００１は、第１の値を決定すること、および第１の値により第１の信号送信時点を決定すること、ならびにクリアチャネルアセスメントＣＣＡ終了時点が第１の信号送信時点であるかどうかを決定することを行うように構成される。
【０１２６】
送信機１００４は、プロセッサ１００１よって決定された結果が、クリアチャネルアセスメントＣＣＡ終了時点が第１の信号送信時点である場合、第１の信号送信時点において信号を送信するように構成される。
【０１２７】
任意選択で、プロセッサ１００１は、式Ｘ1＝ｍｏｄ（Ｘ，Ｎ）によりＸ1を計算すること、０，１，．．．，Ｎ−１をＭのグループに分割することであって、各グループは、信号送信時点に対応すること、およびＸ1が位置付けられるグループの信号送信時点を第１の信号送信時点として選択することを行うように特に構成され、
ｍｏｄ（）は、モジュロ関数であり、Ｘ1は、第１の値であり、Ｎは、１より大きい正の整数であり、ＸおよびＭは、正の整数であり、かつＮ≧Ｍである。
【０１２８】
さらに、任意選択で、アプリケーションシナリオにおいて、
Ｎは、７であり、Ｍは、２である。第１のグループは、｛０，１，２｝を含み、第１のグループに対応する信号送信時点は、Ｙ＝７×ｆｌｏｏｒ（Ｘ／Ｎ）＋２である。第２のグループは、｛３，４，５，６｝を含み、第２のグループに対応する信号送信時点は、Ｙ＝７×ｆｌｏｏｒ（Ｘ／Ｎ）＋６であり、ｆｌｏｏｒ（）は、床関数である。
【０１２９】
別のアプリケーションシナリオにおいて、
Ｎは、７であり、Ｍは、３である。第１のグループは、｛０｝を含み、第１のグループに対応する信号送信時点は、Ｙ＝７×ｆｌｏｏｒ（Ｘ／Ｎ）である。第２のグループは、｛１，２，３｝を含み、第２のグループに対応する信号送信時点は、Ｙ＝７×ｆｌｏｏｒ（Ｘ／Ｎ）＋３である。第３のグループは、｛４，５，６｝を含み、第３のグループに対応する信号送信時点は、Ｙ＝７×ｆｌｏｏｒ（Ｘ／Ｎ）＋７であり、ｆｌｏｏｒ（）は、床関数である。
【０１３０】
任意選択で、プロセッサ１００１は、クリアチャネルアセスメントＣＣＡ終了時点が第１の信号送信時点ではない場合、クリアチャネルアセスメントを再実行すること、およびアセスメント結果が、チャネルがアイドルであることである場合、クリアチャネルアセスメントＣＣＡ終了時点が第１の信号送信時点であるかどうかを決定することを行うようにさらに構成される。
【０１３１】
送信機１００４は、プロセッサ１００１によって決定された結果が、クリアチャネルアセスメントＣＣＡ終了時点が第１の信号送信時点であることである場合、第１の信号送信時点において信号を送信するようにさらに構成される。
【０１３２】
プロセッサ１００１は、クリアチャネルアセスメントＣＣＡ終了時点が第１の信号送信時点ではない場合、クリアチャネルアセスメントを再実行すること、およびクリアチャネルアセスメントＣＣＡのアセスメント結果が、チャネルがアイドルではないことである場合、第１の値を１だけ増加させることを行うようにさらに構成される。
【０１３３】
本発明のこの実施形態において提供されるデバイスは、第１の値を決定し、第１の値により第１の信号送信時点を決定し、ＣＣＡ終了時点が第１の信号送信時点であるかどうかを決定し、ＣＣＡ終了時点が第１の信号送信時点である場合、第１の信号送信時点において信号を送信する。ＣＣＡ終了時点が第１の信号送信時点であるかどうかは、信号が送信される前に決定されるため、複数のデバイスが、リッスンすることを手段にして、チャネルがアイドルであることを同時に検出し、かつデータを同時に送信する場合、チャネル占有衝突がもたらされるという従来技術の問題が解決される。
【０１３４】
図５に対応する前述の実施形態に基づいて、本発明の別の実施形態が、図５に対応する前述の実施形態において説明される信号送信方法を実行するように構成された別のデバイスを提供する。図１１を参照すると、デバイス１１０が、少なくとも１つのプロセッサ１１０１と、メモリ１１０２と、バス１１０３と、送信機１１０４とを含む。少なくとも１つのプロセッサ１１０１、メモリ１１０２、および送信機１１０４は、バス１１０３を使用することによって接続され、かつ相互通信を完成させる。
【０１３５】
バス１１０３は、ＩＳＡ（Ｉｎｄｕｓｔｒｙ  Ｓｔａｎｄａｒｄ  Ａｒｃｈｉｔｅｃｔｕｒｅ、インダストリスタンダードアーキテクチャ）バス、ＰＣＩ（Ｐｅｒｉｐｈｅｒａｌ  Ｃｏｍｐｏｎｅｎｔ、ペリフェラルコンポーネントインターコネクト）バス、ＥＩＳＡ（Ｅｘｔｅｎｄｅｄ  Ｉｎｄｕｓｔｒｙ  Ｓｔａｎｄａｒｄ  Ａｒｃｈｉｔｅｃｔｕｒｅ、エクステンデッドインダストリスタンダードアーキテクチャ）バス、または類似したものであり得る。バス１１０３は、アドレスバス、データバス、制御バス、および類似したものに分類され得る。図示の容易のため、１つの太線だけがバスを表すように図１１において使用されるが、それは、１つだけのバスまたは１つだけのタイプのバスが存在することを示さない。
【０１３６】
メモリ１１０２は、本発明のソリューションを実行するのに使用されるアプリケーションプログラムコードを記憶するように構成され、本発明のソリューションを実行するのに使用されるアプリケーションプログラムコードは、メモリに記憶され、アプリケーションプログラムコードの実行は、プロセッサ１１０１によって制御される。
【０１３７】
メモリは、読取り専用メモリＲＯＭ、静的情報および命令を記憶し得る別のタイプの静的ストレージデバイス、ランダムアクセスメモリＲＡＭ、もしくは情報および命令を記憶し得る別のタイプの動的ストレージデバイスであってよく、または電気的に消去可能なプログラマブル読取り専用メモリＥＥＰＲＯＭ、コンパクトディスク読取り専用メモリＣＤ−ＲＯＭ、別のコンパクトディスクストレージ、光ディスクストレージ（コンパクトディスク、レーザディスク、光ディスク、デジタルバーサタイルディスク、Ｂｌｕ−ｒａｙ（登録商標）ディスク、および類似したものを含む）、ディスクストレージメディア、別の磁気ストレージデバイス、または命令もしくはデータ構造の形態で予期されるプログラムコードを搬送するように、もしくは記憶するように構成されることができ、かつコンピュータによってアクセスされることができる他の任意のメディアであってよいが、これは、本明細書において限定されない。これらのメモリは、バスを使用することによってプロセッサに接続される。
【０１３８】
プロセッサ１１０１は、本発明の実施形態を実施するように構成された中央処理ユニット（Ｃｅｎｔｒａｌ  Ｐｒｏｃｅｓｓｉｎｇ  Ｕｎｉｔ、略して、ＣＰＵ）１１０１、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略して、ＡＳＩＣ）、または１または複数の集積回路であり得る。
【０１３９】
プロセッサ１１０１は、メモリ１１０２におけるプログラムコードを呼び出すように構成される。可能な実施様態において、前述のアプリケーションプログラムがプロセッサ１１０１によって実行される場合、以下の機能が実施される。
【０１４０】
プロセッサ１１０１は、２つの連続する直交周波数分割多重化ＯＦＤＭシンボルにおいて７つのクリアチャネルアセスメントＣＣＡを実行すること、または１つの直交周波数分割多重化ＯＦＤＭシンボルにおいて４つのクリアチャネルアセスメントＣＣＡを実行することを行うように構成される。
【０１４１】
この実施形態において、２つのＯＦＤＭシンボルは、７つのＣＣＡサイクルを含み、かつ従来技術におけるＣＣＡサイクルの長さがリセットされることに留意されたい。図６に示されるとおり、３つの様態が含まれる。無論、３つの様態は、説明のための例として使用されるに過ぎず、それは、本発明がそれらに限定されることを示さない。３つの様態は、Ｔｓ（Ｓａｍｐｌｉｎｇ  Ｔｉｍｅ、サンプリング時間）に基づいて設計される。
【０１４２】
第１の様態  ２つのＯＦＤＭシンボルのうちの１つが２２０８Ｔｓを含み、かつ他方のＯＦＤＭシンボルが、２１９２Ｔｓを含む場合、７つのＣＣＡにおける１つのＣＣＡの時間長は、６５６Ｔｓであり、かつ残っている６つのＣＣＡの各々の時間長は、６２４Ｔｓである。
【０１４３】
第２の様態  ２つのＯＦＤＭシンボルの各々が、２１９２Ｔｓを含む場合、７つのＣＣＡにおける１つのＣＣＡの時間長は、６４０Ｔｓであり、かつ残っている６つのＣＣＡの各々の時間長は、６２４Ｔｓである。
【０１４４】
第３の様態  ＯＦＤＭシンボルが、２５６０Ｔｓを含む場合、４つのＣＣＡにおける１つのＣＣＡの時間長は、６８８Ｔｓであり、かつ残っている３つのＣＣＡの各々の時間長は、６２４Ｔｓである。
【０１４５】
このようにして、２つのＯＦＤＭシンボルが、ＣＣＡサイクルの整数量を含んでよく、またはＯＦＤＭシンボルが、ＣＣＡサイクルの整数量を含む。
【０１４６】
送信機１１０２は、プロセッサ１１０１のアセスメント結果が信号送信条件を満たす場合、信号を送信するように構成される。
【０１４７】
任意選択で、デバイスが信号を送信する時点は、別のデバイスが信号を送信する時点とは異なる。さらに、デバイスが信号を送信する時点と別のデバイスが信号を送信する時点の間の間隔は、１つのＣＣＡサイクルである。
【０１４８】
本発明のこの実施形態において提供されるデバイスは、２つの連続するＯＦＤＭシンボルにおいて７つのＣＣＡを実行する、または１つのＯＦＤＭシンボルにおいて４つのＣＣＡを実行する。ＣＣＡのアセスメント結果が信号送信条件を満たす場合、デバイスは、信号を送信する。２つのＯＦＤＭシンボルは、ＣＣＡサイクルの整数量を含み得るため、またはＯＦＤＭシンボルは、ＣＣＡサイクルの整数量を含むため、ＣＣＡ終了時点がＯＦＤＭシンボルの開始時点とは異なるためにリソースが浪費されるという従来技術の問題が解決される。
【０１４９】
さらに、実行された場合、以下の動作、すなわち、前述の実施形態の方法における動作１０１乃至１０４、３０１乃至３０５、または５０１および５０２を実行するのに使用されるコンピュータ可読命令を含むコンピュータ可読メディア（またはメディア）が提供される。
【０１５０】
さらに、前述のコンピュータ可読メディアを含むコンピュータプログラム製品が提供される。
【０１５１】
本明細書において述べられるシグナリングは、命令、情報、信号、メッセージ、または類似したものを含むが、以上には限定されないことに留意されたい。このことは、本明細書において限定されない。
【０１５２】
本明細書における「および／または」という用語は、関係付けられた対象を説明するための関連付け関係だけを説明し、３つの関係が存在し得ることを表す。例えば、Ａおよび／またはＢは、以下の３つの事例、Ａだけが存在する、ＡとＢの両方が存在する、およびＢだけが存在することを表し得る。さらに、本明細書における「／」という文字は、関係付けられた対象の間の「または」という関係を一般的に示す。
【０１５３】
前述のプロセスのシーケンス番号は、本発明の様々な実施形態における実行シーケンスを意味しないことを理解されたい。プロセスの実行シーケンスは、プロセスの機能および内部論理により決定されるべきであり、本発明の実施形態の実施プロセスに対する限定として解釈されるべきではない。
【０１５４】
当業者は、本明細書において開示される実施形態において説明される例と組み合わせて、ユニットおよびアルゴリズムステップは、電子ハードウェア、またはコンピュータソフトウェアと電子ハードウェアの組合せによって実施され得ることを認識してよい。機能がハードウェアによって実行されるか、またはソフトウェアによって実行されるかは、技術的ソリューションの特定のアプリケーションおよび設計制約条件に依存する。当業者は、各特定のアプリケーションに関する説明される機能を実施するのに異なる方法を使用してよいが、実施様態が本発明の範囲を超えると考えられるべきではない。
【０１５５】
便利かつ簡単な説明のため、前述のシステム、装置、およびユニットの詳細な動作プロセスに関して、前述の方法実施形態における対応するプロセスが参照されてよいことが当業者によって明確に理解され得て、詳細が本明細書において再び説明されることはない。
【０１５６】
本出願において提供されるいくつかの実施形態において、開示されるシステム、装置、および方法は、他の様態で実施されてよいことを理解されたい。例えば、説明される装置実施形態は、例に過ぎない。例えば、ユニット分割は、論理的機能分割に過ぎず、実際の実施様態において他の分割であり得る。例えば、複数のユニットもしくは構成要素が、組み合わされて、もしくは統合されて、別のシステムにされてよく、またはいくつかの特徴が、無視されてよく、もしくは実行されなくてよい。さらに、表示される、もしくは説明される相互結合または直接結合もしくは通信接続は、いくつかのインターフェースを使用することによって実施されてよい。装置またはユニットの間の間接結合もしくは通信接続は、電子形態、機械形態、または他の形態で実施されてよい。
【０１５７】
別々の部分として説明されるユニットは、物理的に別々であってもよく、またはそうでなくてもよく、ユニットとして表示される部分は、物理ユニットであってよく、そうでなくてもよく、１つの位置に位置付けられてもよく、または複数のネットワークユニット上に分散されもよい。ユニットのいくつか、またはすべてが、実施形態のソリューションの目的を実現する実際の必要性により選択され得る。
【０１５８】
さらに、本発明の実施形態における機能ユニットが、統合されて１つの処理ユニットにされてもよく、またはユニットの各々が、物理的に単独で存在してもよく、または２つ以上のユニットが、統合されて１つのユニットにされる。
【０１５９】
機能が、ソフトウェア機能ユニットの形態で実施され、かつ独立した製品として販売される、もしくは使用される場合、機能は、コンピュータ可読ストレージメディアに記憶され得る。そのような理解に基づいて、本発明の技術的ソリューションは、基本的に、または従来技術に寄与する部分が、または技術的ソリューションのいくつかが、ソフトウェア製品の形態で実施され得る。ソフトウェア製品は、ストレージメディアに記憶され、本発明の実施形態において説明される方法のステップのすべて、またはいくつかを実行するようコンピュータデバイス（パーソナルコンピュータ、サーバ、もしくはネットワークデバイスであり得る）に命令するためのいくつかの命令を含む。前述のストレージメディアは、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどのプログラムコードを記憶することができる任意のメディアを含む。
【０１６０】
前述の実施形態の説明で、当業者は、本発明がハードウェア、ファームウェア、またはそれらの組合せによって実施され得ることを明確に理解し得る。本発明がソフトウェアによって実施される場合、前述の機能は、コンピュータ可読メディアに記憶されてよく、またはコンピュータ可読メディアにおいて１または複数の命令もしくはコードとして伝送されてよい。コンピュータ可読メディアは、コンピュータストレージメディアおよび通信メディアを含み、通信メディアは、コンピュータプログラムが１つの場所から別の場所に伝送されることを可能にする任意のメディアを含む。ストレージメディアは、コンピュータにアクセス可能な任意の利用可能なメディアであり得る。以下が、例として使用されるが、以下には限定されない。コンピュータ可読メディアは、ＲＡＭ（Ｒａｎｄｏｍ  Ａｃｃｅｓｓ  Ｍｅｍｏｒｙ、ランダムアクセスメモリ）、ＲＯＭ（Ｒｅａｄ−Ｏｎｌｙ  Ｍｅｍｏｒｙ、読取り専用メモリ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、電気的に消去可能なプログラマブル読取り専用メモリ）、ＣＤ−ＲＯＭ（Ｃｏｍｐａｃｔ  Ｄｉｓｃ  Ｒｅａｄ−Ｏｎｌｙ  Ｍｅｍｏｒｙ、コンパクトディスク読取り専用メモリ）、別の光ディスクストレージ、ディスクストレージメディア、別の磁気ストレージデバイス、または命令もしくはデータ構造の形態で予期されるプログラムコードを搬送するように、もしくは記憶するように使用されることができ、かつコンピュータによってアクセスされることができる他の任意のメディアを含み得る。さらに、任意の接続が、コンピュータ可読メディアとして適切に定義され得る。例えば、ソフトウェアが、同軸ケーブル、光ファイバ／ケーブル、より対線、ＤＳＬ（Ｄｉｇｉｔａｌ  Ｓｕｂｓｃｒｉｂｅｒ  Ｌｉｎｅ、デジタル加入者線）、または赤外線、電波、およびマイクロ波などのワイヤレス技術を使用することによってウェブサイト、サーバ、または別の遠隔ソースから伝送される場合、同軸ケーブル、光ファイバ／ケーブル、より対線、ＤＳＬ、または赤外線、電波、およびマイクロ波などのワイヤレス技術が、それらが属するメディアの固定に含められる。例えば、本発明によって使用されるディスク（ｄｉｓｋ）およびディスク（ｄｉｓｃ）は、ＣＤ（Ｃｏｍｐａｃｔ  Ｄｉｓｃ、コンパクトディスク）、レーザディスク、光ディスク、ＤＶＤディスク（Ｄｉｇｉｔａｌ  Ｖｅｒｓａｔｉｌｅ  Ｄｉｓｃ、デジタルバーサタイルディスク）、フロッピーディスク、およびＢｌｕ−ｒａｙ（登録商標）ディスクを含み、ディスク（ｄｉｓｋ）は、一般に、磁気手段によってデータをコピーし、ディスク（ｄｉｓｃ）は、レーザ手段によってデータを光学的にコピーする。また、前述の組合せも、コンピュータ可読メディアの保護範囲に含められるべきである。
【０１６１】
前述の説明は、本発明の特定の実施形態に過ぎないが、本発明の保護範囲を限定するようには意図されない。本発明において開示される技術的範囲内で当業者によって容易に考案される任意の変形または置換が、本発明の保護範囲に入るものとする。したがって、本発明の保護範囲は、特許請求の範囲の保護範囲の対象となるものとする。
【図１】
0006475345.tif 000002
【図２】
0006475345.tif 000003
【図３】
0006475345.tif 000004
【図４】
0006475345.tif 000005
【図５】
0006475345.tif 000006
【図６】
0006475345.tif 000007
【図７】
0006475345.tif 000008
【図８】
0006475345.tif 000009
【図９】
0006475345.tif 000010
【図１０】
0006475345.tif 000011
【図１１】
0006475345.tif 000012